(57)【要約】【課題】高い洗浄効果及び殺菌効果を有するとともに、好適なスクラブ効果を有する石鹸を提供する。【解決手段】富士山系、特に富士五湖周辺で採取された溶岩石を粉砕して得られる溶岩粉末を含有した石鹸。【選択図】図１
0003162287.tif 000002
【実用新案登録請求の範囲】
【請求項１】
火山地帯で採取される溶岩石を、その９５％以上が粒径１０μｍ〜５００μｍとなるように粉砕した溶岩粉末を溶岩粉末を含有する石鹸。
【請求項２】
前記溶岩粉末は、亜鉛を２００ｐｐｍ以上含有することを特徴とする請求項１に記載の石鹸。
【請求項３】
前記溶岩粉末は、気泡率が３０％以上であることを特徴とする請求項１又は２に記載の石鹸。
【請求項４】
富士山系の火山地帯で採取される溶岩石を粉砕した溶岩粉末を含有する石鹸。
【考案の詳細な説明】
【技術分野】
【０００１】
本考案は、溶岩粉末を含有した石鹸に関するものであり、特に、高い洗浄効果及び殺菌効果を有するとともに、溶岩由来のミネラル成分の皮膚浸透による健康増進効果を有する石鹸に関するものである。
【背景技術】
【０００２】
従来、石鹸よりも高い洗浄効果を有する合成洗剤が研究開発され、広く市販されている。しかしながら、一般的に合成洗剤はアトピー性皮膚炎などの皮膚疾患を増悪させることから、合成洗剤よりも皮膚への刺激がより少ない石鹸が用いられることが多い。皮膚のケアを目的とした薬用成分や保湿成分を含有する石鹸も広く市販され、利用されている。
【０００３】
また、食中毒や感染症を引き起こす細菌類を減菌する目的で殺菌剤・抗菌剤を含有する石鹸も広く市販され、利用されている。
また、石鹸の洗浄効果に加えて、粒塩や砂を含有させることにより肌の汚れや角質を擦り落とすスクラブ効果を有するスクラブ石鹸が広く市販され、利用されている。
【考案の開示】
【考案が解決しようとする課題】
【０００４】
しかしながら、石鹸は合成洗剤よりも皮膚への刺激がより少ない反面、使用する水のｐＨによっては洗浄力が低下するという問題があった。
また、化学合成された殺菌剤・抗菌剤はアレルギーや化学物質過敏症を誘発・増悪することがあり、さらには、殺菌剤・抗菌剤に対する抵抗力をつけた病原菌が生まれる可能性があるという問題が指摘されている。
そこで、本考案はこのような実情に鑑みて、高い洗浄効果及び殺菌効果を有する石鹸を提供しようとするものである。
【０００５】
一方で、人体内の生体活動において、一般的に「ミネラル」と呼ばれる微量元素群が酵素反応や免疫機能において重要な役割を果たすことが明らかとなっている。ミネラルを過不足無く体内に摂取することが健康増進に大きく寄与するため、各種ミネラル成分を含む錠剤等（いわゆるサプリメント）を経口摂取することが広く行われている。また、日本全国に多数分布する火山性の温泉は、一般的にミネラルを豊富に含む泉質を有し、病気療養や健康増進のために広く利用されている。このような温泉の効能は、温泉水に含まれる各種ミネラル成分（微量元素イオン）が経皮吸収により人体内に取り込まれることによるものと考えられる。
このようなミネラル成分の経皮吸収による健康増進効果に着目し、本考案はさらに、高い洗浄効果及び殺菌効果を有し、かつ、溶岩由来のミネラル成分の皮膚浸透による健康増進効果を有する石鹸を提供しようとするものである。
【課題を解決するための手段】
【０００６】
上記解決課題に鑑みて鋭意研究の結果、本考案者は、火山地帯から採取される溶岩石を粉末状にしたものが油分に対する高い分解・吸着効果と高い殺菌力を有することに着目し、また、この溶岩粉末が温泉水同様に好適なミネラル成分を含有することに着目し、溶岩粉末を石鹸に添加することにより、高い洗浄効果及び殺菌効果を有し、かつ、溶岩由来のミネラル成分の皮膚浸透による健康増進効果を有する石鹸を製造できることに想到し、本考案をなすに至った。
【０００７】
すなわち、本考案は、火山地帯で採取される溶岩石を粉砕した溶岩粉末を含有する石鹸を提供するものである。
本考案の石鹸に使用する溶岩粉末は、火山地帯で採取される溶岩石を粉砕・選別・精製して得えられる粉末であることが望ましい。採取場所は、富士山系、特に富士五湖周辺が好ましい。
【０００８】
本考案の石鹸に使用する溶岩粉末は、採取した溶岩石を粉砕し、篩にかけるなどして選別することにより、その９５％以上が粒径１０μｍ〜５００μｍとした溶岩粉末であるのが好ましい。
粒径１０μｍ未満の溶岩粉末は、油分の分解・吸着効果が十分でなく、水洗いする際に落ちにくいため、また、粒径５００μｍを越える溶岩粉末は、表面積が小さくミネラル成分の溶出が不十分となり十分なミネラル経皮吸収が行われず、また、ざらざらした質感となってしまい十分な研磨効果が得られないためである。
【０００９】
本考案の石鹸に使用する溶岩粉末は、亜鉛を２００ｐｐｍ以上含有する溶岩粉末であるのが好ましい。
溶岩粉末に含まれる亜鉛成分（酸化亜鉛）は、抗菌・抗黴・防臭性に優れている上に、化学合成による抗菌剤・殺菌剤とは異なり、化学物質過敏症の増悪や耐性菌の発生といった問題が生じることが無い。
一方で、亜鉛は経皮吸収により体内に取り込まれて、様々な酵素を組成したり、細胞分裂（新陳代謝）を促進したりする働きを有する。また、人体の表皮は亜鉛含有量が高く、亜鉛は表皮細胞においてビタミンＣなどとともにコラーゲンの生成に関与することが分かっている。さらには、亜鉛は、人体内に存在する活性酸素種の１つであるスーパーオキシドアニオンを分解する抗酸化酵素スーパーオキシドジスムチーゼを組成するものでもある。このように、本考案の石鹸に含まれる亜鉛成分が経皮吸収により体内に取り込まれることにより、体内部においても体表面においても健康増進効果を発揮することが期待される。
富士山系、特に富士五湖周辺において採取される溶岩石は亜鉛含有率が高いことが知られているが、他地域から採取される溶岩石を原料に用いても、亜鉛含有率の高いものを選別するなどして、上記の含有率とすることができればよい。
【００１０】
本考案の石鹸に使用する溶岩粉末は、気泡率が３０％以上であるのが好ましい。気泡率３０％以上の溶岩粉末は、油分の分解・吸着効果に優れるためである。また、気泡を含むことにより表面積が増大し十分な量のミネラルが溶出する。
【考案の効果】
【００１１】
以上説明したように、本考案によれば、火山地帯から採取される溶岩石を原料に用いて、高い洗浄効果及び殺菌効果を有するとともに、亜鉛の経皮吸収による体内部及び体表面における健康増進効果を有する石鹸が提供される。
【図面の簡単な説明】
【００１２】
【図１】本考案の石鹸に使用する溶岩５０gを水道水（富士河口湖町）１リットルに２４時間浸した後の水に含まれる元素の成分分析表を示す図である。
【図２】本考案の石鹸に使用する溶岩粉末の抗菌効果の実験結果を示す図である。
【考案を実施するための最良の形態】
【００１３】
本考案の溶岩粉末入り石鹸の実施形態について、添付図面を参照しながら、その具体的な実施の形態を説明する。
【実施例１】
【００１４】
まず、本考案の溶岩粉末入り石鹸に使用する溶岩粉末は、次のようにして得られる。
[１]溶岩石の採取・調達
火山性の溶岩は日本全国に分布しているが、本考案の溶岩粉末入り石鹸にあっては、特に富士山系の富士五湖周辺で採取される溶岩石が好適である。一般的に、富士山系の富士五湖周辺で採取される溶岩石には、亜鉛成分が他の地域の溶岩石に比べて多量に含まれていることが確認されている。図１は、富士山周辺の溶岩５０ｇを水道水１リットル（富士河口湖町）に２４時間浸した後の成分分析表を示す図であり、富士河口湖町の水道水中の亜鉛成分が９１．４μｇであるのに対し、溶岩を浸した水は２７８．０μｇと、亜鉛成分が多く含まれている。このことは、溶岩そのものに亜鉛成分が多く含まれていることを示している。（典拠：「富士山はヨウガンス」＜有限会社熔岩研究所  ２００４年１２月２７日発行＞）。
本考案の石鹸に使用する溶岩粉末は、この亜鉛成分の含有により、高い抗菌作用を発揮するとともに、経皮吸収により体内に取り込まれて、体内及び皮膚表面における健康維持に資するものと考えられる。
【００１５】
[２]溶岩石の破砕・切断
溶岩石をある程度粒状化又は小ブロック化するために採取した溶岩石を破砕・切断する。採取した溶岩石を板状、ブロック状等に順次切断して細分化してから、破砕機でさらに粉砕するのが望ましい。
【００１６】
[３]選別
ある程度粒状化又は小ブロック化された溶岩石のうち、加工に値するもの、すなわち、所望の亜鉛含有量や気泡率を有する溶岩石のみを選別する。また、溶岩以外の成分を除去する。亜鉛の含有量は、例えば、光学分析器を用いたり、試薬との反応試験を行うことで検査することができる。
【００１７】
[４]粉末化
粒状化又は小ブロック化した溶岩石を粉末化する。粉末化の方法としては、各種の粉砕装置、例えば杵と臼を用いて摺りつぶす方法や、遠心衝撃装置等によって粉砕して粉状に加工する方法がある。これに限らず、溶岩石を種々の用途に加工する工程、例えば溶岩プレートや溶岩ブロックなどの加工工程に際して排出される粉末状の切削屑を利用してもよい。
粉末化の前に乾燥工程を行ってもよい。また、粉末化の後に不純物を取り除く工程を行ってもよい。
【００１８】
[５]篩かけ
得られた溶岩粉末を篩かけして、所望の粒径範囲の溶岩粉末を分離する。篩かけの方法としては、所定のメッシュの篩で篩かけする方法のほか、遠心分離装置等によって篩かけする方法も可能である。
【００１９】
[６]精製
篩かけした溶岩粉末を精製する。精製は溶岩粉末に含まれる不純物を選別するために行なわれる。例えば、溶岩粉末を水に沈殿させて浮遊物を取り除いたり、沈殿速度を利用して不純物を除去することにより、溶岩粉末の純度を高めることができる。
【００２０】
このようにして、本考案の石鹸に使用する溶岩粉末を得ることができた。次に、この溶岩粉末を用いて本考案の石鹸を製造する実施例を示す。
【実施例２】
【００２１】
鹸化塩析法、中和法等で得られた石鹸素地（脂肪酸ナトリウム）に、助剤類とともに実施例１で得られた溶岩粉末を１０重量％添加し、練り・乾燥工程を行った。その後、裁断し成型することで本考案の石鹸を得ることができた。
【実施例３】
【００２２】
図２は、本考案に使用する溶岩を２４時間浸した水と、その１０倍希釈液と、比較対象とする生理食塩水とで、時間経過によるＭＲＳＡ（グラフ１）、ヘリコパクターピロリ菌（グラフ２）、歯周病原菌（グラフ３）、サルモネラ菌（グラフ４）の各生菌数を測定したものであり、グラフ１〜４のそれぞれにおいて、溶岩水が生理食塩水よりも生菌数が低下する優れた抗菌効果を表している。
【実施例４】
【００２３】
実施例２において得られた溶岩粉末入り石鹸は、従来の石鹸に比べて、油脂汚れに対する高い洗浄力を発揮することが確認された。
また、本実施例において得られた溶岩粉末入り石鹸を用いて人体を洗浄すると、「汚れに対する洗浄力が高いのにかかわらず、洗浄後肌がしっとりする」との使用感が多数報告された。これは、ミネラルの経皮吸収により皮膚機能が向上したものと考えられる。
また、含有される溶岩粉末により人の肌に好適なスクラブ効果を発揮することが確認された。また、合成洗剤のように肌への刺激による問題が生じることもなかった。
【図１】
0003162287.tif 000003
【図２】
0003162287.tif 000004